(57)【特許請求の範囲】
【請求項１】
部屋と照明の情報を入力する入力部と、
前記入力部に入力された情報と、仮に設定された照明の点灯または消灯からなる点灯パターンとに基づく前記部屋の領域の照度が、予め設定された条件を満たす照度に対応するように、前記点灯パターンを選択する点灯パターン選択部と、
前記点灯パターン選択部で選択された前記点灯パターンを表示する表示部と、
を備え、
前記点灯パターン選択部は、
前記仮に設定された点灯パターンを設定する仮点灯パターン設定部と、
前記入力部からの情報と前記仮に設定された点灯パターンとに基づいて、前記部屋の各領域の照度を算出する照度算出部と、
前記照度算出部により算出された各領域の照度の中から予め設定された条件を満たす照度と、この条件を満たす照度の領域に対応した照明とを抽出する抽出部と、
前記抽出部により抽出された照明の状態を変更し、この変更した状態を前記仮点灯パターン設定部に反映させる状態変更反映部と、
を有し、
前記仮点灯パターン設定部の各点灯パターンと前記照度算出部の各領域の照度とをそれぞれ対応させて、前記点灯パターンを選択する、
ことを特徴とする点灯パターン設定装置。
【請求項２】
請求項１に記載の点灯パターン設定装置において、
前記仮点灯パターン設定部は、全ての照明が点灯している状態を初期の点灯パターンとして設定し、
前記抽出部における前記予め設定された条件は、最も高い照度であり、
前記状態変更反映部は、前記抽出部により抽出された照明の状態を消灯へ変更し、この消灯状態を反映させ、前記仮点灯パターン設定部における仮の点灯パターンが、１つの照明のみが点灯している状態になるまで、変更する状態を反映し、
前記表示部は、前記初期の点灯パターンである全ての照明が点灯している状態から、目標とすべき照度である目標照度を満たす点灯パターンまでを、前記状態変更反映部により反映された順番に並べて表示する、
ことを特徴とする点灯パターン設定装置。
【請求項３】
請求項１に記載の点灯パターン設定装置において、
前記仮点灯パターン設定部は、任意の１つの照明のみが点灯している状態を初期の点灯パターンとして設定し、
前記抽出部における前記予め設定された条件は、最も低い照度であり、
前記状態変更反映部は、前記抽出部により抽出された照明の状態を点灯へ変更し、この点灯状態を反映させる、
ことを特徴とする点灯パターン設定装置。
【請求項４】
請求項３に記載の点灯パターン設定装置において、
前記状態変更反映部は、前記仮点灯パターン設定部における仮の点灯パターンが、全ての照明が点灯している状態になるまで、変更する状態を反映し、
前記表示部は、最後の点灯パターンである全ての照明が点灯している状態から、目標とすべき照度である目標照度を満たす点灯パターンまでを、前記状態変更反映部により反映された順番とは逆に並べて表示する、
ことを特徴とする点灯パターン設定装置。
【請求項５】
請求項２または４に記載の点灯パターン設定装置において、
前記点灯パターン選択部は、前記仮点灯パターン設定部の各パターンにおける消費電力をそれぞれ算出し、
前記表示部は、点灯パターンである全ての照明が点灯している状態から、目標とすべき消費電力である目標消費電力を満たす点灯パターンまでを並べて表示する、
ことを特徴とする点灯パターン設定装置。
【請求項６】
請求項５に記載の点灯パターン設定装置において、
目標消費電力を満たす点灯パターンになるように照明を制御する、
ことを特徴とする点灯パターン設定装置。
【請求項７】
請求項１から６のいずれか１つに記載の点灯パターン設定装置において、
前記表示部は、各点灯パターンを前記部屋のレイアウトにそれぞれ対応させて表示する、
ことを特徴とする点灯パターン設定装置。
【請求項８】
請求項７に記載の点灯パターン設定装置において、
前記表示部は、部屋のレイアウトに最低照度とその領域を表示する、
ことを特徴とする点灯パターン設定装置。
【請求項９】
請求項１から８のいずれか１つに記載の点灯パターン設定装置において、
前記部屋の情報は、部屋の大きさとその部屋における照明の配置とに関する情報を含み、
前記照明の情報は、照明の配光に関する情報を含む、
ことを特徴とする点灯パターン設定装置。
【請求項１０】
部屋と照明の情報を入力する入力ステップと、
前記入力ステップで入力された情報と、仮に設定された照明の点灯または消灯からなる点灯パターンとに基づく前記部屋の領域の照度が、予め設定された条件を満たす照度に対応するように、前記点灯パターンを選択する点灯パターン選択ステップと、
前記点灯パターン選択ステップで選択された点灯パターンを表示する表示ステップと、
を有し、
前記点灯パターン選択ステップは、
前記仮に設定された点灯パターンを設定する仮点灯パターン設定ステップと、
前記入力ステップからの情報と前記仮に設定された点灯パターンとに基づいて、前記部屋の各領域の照度を算出する照度算出ステップと、
前記照度算出ステップにより算出された各領域の照度の中から予め設定された条件を満たす照度と、この条件を満たす照度の領域に対応した照明とを抽出する抽出ステップと、
前記抽出ステップにより抽出された照明の状態を変更し、この変更した状態を前記仮点灯パターンに反映させる状態変更反映ステップと、
を有し、
前記仮点灯パターン設定ステップの各点灯パターンと前記照度算出ステップの各照度とをそれぞれ対応させて、前記点灯パターンを選択する、
ことを特徴とする点灯パターン設定方法。
【請求項１１】
請求項１０に記載の点灯パターン設定方法において、
前記仮点灯パターン設定ステップは、全ての照明が点灯している状態を初期の点灯パターンとして設定し、
前記抽出ステップにおける前記予め設定された条件は、最も高い照度であり、
前記状態変更反映ステップは、前記抽出ステップにより抽出された照明の状態を消灯へ変更し、この消灯状態を反映させ、前記仮点灯パターン設定ステップにおける仮の点灯パターンが、１つの照明のみが点灯している状態になるまで、変更する状態を反映し、
前記表示ステップは、前記初期の点灯パターンである全ての照明が点灯している状態から、目標とすべき照度である目標照度を満たす点灯パターンまでを、前記状態変更反映ステップにより反映された順番に並べて表示する、
ことを特徴とする点灯パターン設定方法。
【請求項１２】
請求項１０に記載の点灯パターン設定方法において、
前記仮点灯パターン設定ステップは、任意の１つの照明のみが点灯している状態を初期の点灯パターンとして設定し、
前記抽出ステップにおける前記予め設定された条件は、最も低い照度であり、
前記状態変更反映ステップは、前記抽出ステップにより抽出された照明の状態を点灯へ変更し、この点灯状態を反映させる、
ことを特徴とする点灯パターン設定方法。
【請求項１３】
請求項１２に記載の点灯パターン設定方法において、
前記状態変更反映ステップは、前記仮点灯パターン設定ステップにおける仮の点灯パターンが、全ての照明が点灯している状態になるまで、変更する状態を反映し、
前記表示ステップは、最後の点灯パターンである全ての照明が点灯している状態から、目標とすべき照度である目標照度を満たす点灯パターンまでを、前記状態変更反映ステップにより反映された順番とは逆に並べて表示する、
ことを特徴とする点灯パターン設定方法。
【発明の詳細な説明】
【技術分野】
【０００１】
本発明は、部屋に配置された複数の照明の点灯パターンを設定する照明点灯パターン設定装置及び方法に関する。
【背景技術】
【０００２】
省エネルギ及び節電対策などによって、複数の照明が配置されている部屋の照度又は照明の消費電力を下げる場合、一般的に、その対策を行う実施者が経験と感覚を頼りに照明を間引いていた。
【０００３】
照明を間引く手順は、次のようなものである。すなわち、実施者により、間引く照明が任意に決定され、その照明が間引かれる。そして、実施者により室内の照度又は消費電力が計測され、その計測値が、目標とすべき値を満たすか否かが確認される。計測値が、目標値に届かない場合、さらに実施者により任意の照明が間引かれる。そして、部屋の照度が目標とすべき照度になった時点で、照明の間引きが終了する。または、部屋の消費電力が目標とすべき消費電力になった時点で、照明の間引きが終了する。
【０００４】
下記特許文献１には、部屋に設けられた複数の照明の光度を制御して、任意の位置の照度を所望の照度にする照明制御システムが記載されている。この照明制御システムでは、任意の位置で検出される照度が、その位置の目標とすべき照度になるように、複数の照明のそれぞれの光度を変更制御により増加または減少させている。
【先行技術文献】
【特許文献】
【０００５】
【特許文献１】特開２００５−５６６６８号公報
【発明の概要】
【発明が解決しようとする課題】
【０００６】
従来のような照明を間引く手順では、実施者が照明の間引きと照度又は消費電力の計測とを交互に行う必要があり、時間と手間がかかってしまうという問題があった。また、実施者の経験や感覚を頼りに間引かれる照明が決定されるので、間引き後の最終的な照明の点灯パターンによる部屋の照度に大きなムラが生じてしまうという問題があった。つまり、目標とすべき照度または消費電力を満たしているものの、部屋のある位置と他の位置とでは、照度の値に大きな差が生じてしまうという問題があった。照度のムラが大きいと、その部屋を利用する利用者からの苦情が寄せられ、間引いた照明を取り付けるなどの作業が生じてしまう。
【０００７】
上記特許文献１に記載の照明制御システムのように、検出された照度に基づいて、変更制御により照明の光度を変更し、目標とすべき照度に設定する方法も考えられる。しかしながら、例えば照明に調光機能がない場合、照明の変更制御を行うためには、各照明に調光機能を有する調光器がそれぞれ配置されていなければならず、調光器の取り付け工事に大幅なコストがかかってしまう。
【０００８】
本発明の目的は、複数の照明が配置された部屋において、少なくとも、その部屋の目標とすべき照度に対応する最適な照明の点灯パターンを容易に設定することができる照明の点灯パターン設定装置及び方法を提供することにある。
【課題を解決するための手段】
【０００９】
本発明は、部屋と照明の情報を入力する入力部と、前記入力部に入力された情報と、仮に設定された照明の点灯または消灯からなる点灯パターンとに基づく前記部屋の領域の照度が、予め設定された条件を満たす照度に対応するように、前記点灯パターンを選択する点灯パターン選択部と、前記点灯パターン選択部で選択された前記点灯パターンを表示する表示部と、を備え、前記点灯パターン選択部は、前記仮に設定された点灯パターンを設定する仮点灯パターン設定部と、前記入力部からの情報と前記仮に設定された点灯パターンとに基づいて、前記部屋の各領域の照度を算出する照度算出部と、前記照度算出部により算出された各領域の照度の中から予め設定された条件を満たす照度と、この条件を満たす照度の領域に対応した照明とを抽出する抽出部と、前記抽出部により抽出された照明の状態を変更し、この変更した状態を前記仮点灯パターン設定部に反映させる状態変更反映部と、を有し、前記仮点灯パターン設定部の各点灯パターンと前記照度算出部の各領域の照度とをそれぞれ対応させて、前記点灯パターンを選択することを特徴とする。
【００１１】
また、前記仮点灯パターン設定部は、全ての照明が点灯している状態を初期の点灯パターンとして設定し、前記抽出部における前記予め設定された条件は、最も高い照度であり、前記状態変更反映部は、前記抽出部により抽出された照明の状態を消灯へ変更し、この消灯状態を反映させ、前記仮点灯パターン設定部における仮の点灯パターンが、１つの照明のみが点灯している状態になるまで、変更する状態を反映し、前記表示部は、前記初期の点灯パターンである全ての照明が点灯している状態から、目標とすべき照度である目標照度を満たす点灯パターンまでを、前記状態変更反映部により反映された順番に並べて表示することができる。
【００１２】
また、前記仮点灯パターン設定部は、任意の１つの照明のみが点灯している状態を初期の点灯パターンとして設定し、前記抽出部における前記予め設定された条件は、最も低い照度であり、前記状態変更反映部は、前記抽出部により抽出された照明の状態を点灯へ変更し、この点灯状態を反映させることができる。
【００１３】
また、前記状態変更反映部は、前記仮点灯パターン設定部における仮の点灯パターンが、全ての照明が点灯している状態になるまで、変更する状態を反映し、前記表示部は、最後の点灯パターンである全ての照明が点灯している状態から、目標とすべき照度である目標照度を満たす点灯パターンまでを、前記状態変更反映部により反映された順番とは逆に並べて表示することができる。
【００１４】
また、前記点灯パターン選択部は、前記仮点灯パターン設定部の各パターンにおける消費電力をそれぞれ算出し、前記表示部は、点灯パターンである全ての照明が点灯している状態から、目標とすべき消費電力である目標消費電力を満たす点灯パターンまでを並べて表示することができる。
【００１５】
また、目標消費電力を満たす点灯パターンになるように照明を制御することができる。
【００１６】
また、前記表示部は、各点灯パターンを前記部屋のレイアウトにそれぞれ対応させて表示することができる。
【００１７】
また、前記表示部は、部屋のレイアウトに最低照度とその領域を表示することができる。
【００１８】
また、前記部屋の情報は、部屋の大きさとその部屋における照明の配置とに関する情報を含み、前記照明の情報は、照明の配光に関する情報を含むことができる。
【００１９】
また、もう１つの発明は、部屋と照明の情報を入力する入力ステップと、前記入力ステップで入力された情報と、仮に設定された照明の点灯または消灯からなる点灯パターンとに基づく前記部屋の領域の照度が、予め設定された条件を満たす照度に対応するように、前記点灯パターンを選択する点灯パターン選択ステップと、前記点灯パターン選択ステップで選択された点灯パターンを表示する表示ステップと、を有し、前記点灯パターン選択ステップは、前記仮に設定された点灯パターンを設定する仮点灯パターン設定ステップと、前記入力ステップからの情報と前記仮に設定された点灯パターンとに基づいて、前記部屋の各領域の照度を算出する照度算出ステップと、前記照度算出ステップにより算出された各領域の照度の中から予め設定された条件を満たす照度と、この条件を満たす照度の領域に対応した照明とを抽出する抽出ステップと、前記抽出ステップにより抽出された照明の状態を変更し、この変更した状態を前記仮点灯パターンに反映させる状態変更反映ステップと、を有し、前記仮点灯パターン設定ステップの各点灯パターンと前記照度算出ステップの各照度とをそれぞれ対応させて、前記点灯パターンを選択することを特徴とする。
【００２１】
また、前記仮点灯パターン設定ステップは、全ての照明が点灯している状態を初期の点灯パターンとして設定し、前記抽出ステップにおける前記予め設定された条件は、最も高い照度であり、前記状態変更反映ステップは、前記抽出ステップにより抽出された照明の状態を消灯へ変更し、この消灯状態を反映させ、前記仮点灯パターン設定ステップにおける仮の点灯パターンが、１つの照明のみが点灯している状態になるまで、変更する状態を反映し、前記表示ステップは、前記初期の点灯パターンである全ての照明が点灯している状態から、目標とすべき照度である目標照度を満たす点灯パターンまでを、前記状態変更反映ステップにより反映された順番に並べて表示することができる。
【００２２】
また、前記仮点灯パターン設定ステップは、任意の１つの照明のみが点灯している状態を初期の点灯パターンとして設定し、前記抽出ステップにおける前記予め設定された条件は、最も低い照度であり、前記状態変更反映ステップは、前記抽出ステップにより抽出された照明の状態を点灯へ変更し、この点灯状態を反映させることができる。
【００２３】
また、前記状態変更反映ステップは、前記仮点灯パターン設定ステップにおける仮の点灯パターンが、全ての照明が点灯している状態になるまで、変更する状態を反映し、前記表示ステップは、最後の点灯パターンである全ての照明が点灯している状態から、目標とすべき照度である目標照度を満たす点灯パターンまでを、前記状態変更反映ステップにより反映された順番とは逆に並べて表示することができる。
【発明の効果】
【００２４】
本発明の照明の点灯パターン設定装置及び方法によれば、複数の照明が配置された部屋において、少なくとも、その部屋の目標とすべき照度に対応する最適な照明の点灯パターンを容易に設定することができる。
【図面の簡単な説明】
【００２５】
【図１】本実施形態に係る点灯パターン設定装置の構成を示す図である。
【図２】部屋と照明のレイアウトの一例を示す図である。
【図３】本実施形態に係る点灯パターン設定装置の動作の一例を示すフローチャートである。
【図４】図３の動作時における仮の点灯パターンを示す図である。
【図５】別の態様の点灯パターン設定装置の動作の一例を示すフローチャートである。
【図６】図５の動作時における仮の点灯パターンを示す図である。
【発明を実施するための形態】
【００２６】
以下、本発明に係る点灯パターン設定装置の実施形態について、図１，２を用いて説明する。一例として、１つの部屋を挙げ、この部屋の照明の点灯パターンを設定する点灯パターン設定装置について説明する。なお、本発明は、この態様に限らず、建物にある複数の部屋を対象にすることができる。
【００２７】
図１は、本実施形態に係る点灯パターン設定装置１０の構成を示す図であり、図２は、部屋１２と照明１４のレイアウトの一例を示す図である。
【００２８】
点灯パターン設定装置１０は、省エネルギ及び節電対策時に、対象となる部屋１２に配置された、複数の照明１４の点灯パターンを設定する装置である。この点灯パターン設定装置１０は、ハードウェアとソフトウェアとの協働により実現される。
【００２９】
部屋１２とは、利用者が利用する居室であり、例えばオフィスビルなどの建物の執務スペースや会議室のことである。照明１４は、部屋１２の天井に１６個設置される。本実施形態の照明１４には、調光機能が備えられていない。よって、照明１４に接続されるスイッチ（図示せず）が、例えば部屋１２の壁面に設置され、複数台の照明を点灯及び消灯（ＯＮ／ＯＦＦ）を行う。なお、本発明は照明１２の数１６個に限定されず、その他の複数個とすることができる。なお、本実施形態においては、照明１４には、調光機能が備えられていない場合について説明したが、本発明はこの構成に限定されず、後述する点灯パターン設定時に調光機能を使用しなければ、調光機能が備わった照明にも適用することができる。
【００３０】
点灯パターン設定装置１０は、情報を入力する入力部１６と、入力部１６の情報に基づいて照明１４の点灯パターンを選択する点灯パターン選択部１８と、点灯パターン選択部１８で選択された点灯パターンを表示する表示部２０と、各種情報を記憶する記憶部２２とを有する。
【００３１】
入力部１６は、マウスやキーボードなどの入力インターフェイスである。これを用いて、各種情報が点灯パターン設定装置１０内に入力される。入力部１６から入力される情報は、部屋１２の情報と、照明１４の情報と、目標とすべき照度と、目標とすべき消費電力とを含む。部屋１２の情報は、この部屋１２の大きさ（縦・横・高さ）と、照明１４の配置（本数と配置間隔を含む）と、内装の色とを含む。照明１４の情報は、照明の配光に関する情報、すなわち照明の種別及び各種別に対応する光度特性の情報と、汚れや劣化具合に基づく保守率とを含む。照明の種別には、埋込み形下面開放、埋込み形ルーバー付、グリット天井、直付け形逆富士、直付け形下面開放などがある。そして、目標とすべき照度は、省エネルギ及び節電対策を行う時に、その部屋１２において目標とされ、許容される最低限の照度である。また、目標とすべき消費電力は、省エネルギ及び節電対策を行う時に、その部屋１２において目標とされる照明１４の消費電力であり、削減量とすることもできる。これらの情報は、記憶部２２に記憶される。
【００３２】
点灯パターン選択部１８は、仮点灯パターン設定部２４と照度算出部２６と抽出部２８と状態変更反映部３０とを有し、これらの構成要素により複数設定された仮の点灯パターンと、各照度とをそれぞれ対応させて、照明１４の点灯パターンを選択する。つまり、点灯パターン選択部１８は、適切な照明１４の点灯パターンをシミュレーションで選択し、その選択結果を表示部２０に出力する。
【００３３】
仮点灯パターン設定部２４は、仮の点灯パターンを設定する。仮の点灯パターンとは、点灯パターン選択部１８内における演算で設定される複数の点灯パターンである。本実施形態においては、仮点灯パターン設定部２４においては、全ての照明１４が点灯している状態が初期の点灯パターンとして設定されている。
【００３４】
また、仮点灯パターン設定部２４は、後述する状態変更反映部３０からの反映により、仮の点灯パターンが、１つの照明１４のみが点灯している状態になるまで、設定作業を行う。また、仮点灯パターン設定部２４で設定された各点灯パターンは、それぞれ、記憶部２２に記憶される。
【００３５】
照度算出部２６は、入力部１６からの情報と仮点灯パターン設定部２４で設定される仮の点灯パターンとに基づいて、部屋１２の照度を算出する。具体的には、図２に示されるように、照度算出部２６は、室内を破線でメッシュ状に１６箇所区切り、この区切られた領域の照度をそれぞれ算出する。各領域の照度は、上述の部屋と照明の情報に基づいて逐点法という周知の算出法により算出することができる。本実施形態においては、部屋１２の区切りの領域が１６箇所である場合について説明したが、本発明はこの数に限定されず、区切りの領域の数が１６箇所より大きくても小さくてもよい。また、本実施形態では、上記領域が照明１４の配置に対応するように設定されているが、本発明はこの構成に限定されず、照明１４の配置と上記領域とが対応していなくてもよい。
【００３６】
照度算出部２６は、仮点灯パターン設定部における仮の点灯パターンが、１つの照明１４のみが点灯している状態になるまで、算出作業を行う。そして、照度算出部２６における各算出結果は、それぞれ、記憶部２２に記憶される。
【００３７】
抽出部２８は、照度算出部２６により算出された各領域の照度の中から予め設定された条件を満たす照度を抽出する。本実施形態における予め設定された条件は、最も高い照度である。よって、抽出部２８は、算出された各照度の中から最も高い照度を抽出する。さらに、抽出部２８は、抽出された照度の領域に最も近くに位置する照明１４を１つ抽出する。最も高い照度が複数の領域である場合、それぞれに対応する照明１４を抽出し、以後の演算を分けることもできる。
【００３８】
また、抽出部２８は、仮点灯パターン設定部２４における仮の点灯パターンが、１つの照明１４のみが点灯している状態になるまで、抽出作業を行う。そして、抽出部２８における各抽出結果は、それぞれ、記憶部２２に記憶される。
【００３９】
状態変更反映部３０は、抽出部２８により抽出された照明１４の状態を変更し、この変更した状態を仮点灯パターン設定部２４に反映させる。本実施形態の状態変更反映部３０は、抽出部２８により抽出された照明１４の状態を点灯から消灯へと変更し、この消灯状態を仮点灯パターン設定部２４に反映させる。このように、最も高い照度の領域に最も影響を与える照明１４を消灯させることで、室内のムラが大きくなることを抑制した点灯パターンを設定することができる。
【００４０】
また、状態変更反映部３０は、仮点灯パターン設定部２４における仮の点灯パターンが、１つの照明１４のみが点灯している状態になるまで、変更する状態を反映する。つまり、上述した点灯パターン選択部１８内における一連の演算は、照明１４の数がｎ個である場合、ｎ−１回繰り返される。
【００４１】
表示部２０は、点灯パターン選択部１８で選択された点灯パターンを表示する。本実施形態の表示部２０は、初期の点灯パターンである全ての照明１４が点灯している状態から、入力部１６から入力された目標照度を満たす点灯パターンまでを、状態変更反映部３０により反映された順番に並べて表示する。目標照度を満たす点灯パターンとは、領域内の最低照度が目標照度以上である点灯パターンのことである。このように点灯パターンが照度の降順に並べられることにより、省エネルギ及び節電対策を行う実施者は、照度のムラが生じにくい、照明１４の間引きの手順を容易に把握することができる。仮に、部屋１２の利用者から照度が足りないと苦情があった場合でも、この点灯パターンの順番を参考にすることで、直ちにその苦情を解消することができる。
【００４２】
また、表示部２０は、各点灯パターンを部屋１２のレイアウトにそれぞれ対応させて表示することもできる。これにより、視認性が向上し、部屋１２で実際に照明１４を間引く際の作業効率が向上する。また、表示部２０は、部屋１２のレイアウトに最低照度とその領域を表示することもできる。これにより、その部屋１２の最低照度の場所を容易に把握でき、実際に照度を測定する際の作業効率が向上する。
【００４３】
次に、本実施形態に係る点灯パターン設定装置１０の動作について、図３，４を用いて説明する。図３は、本実施形態に係る点灯パターン設定装置１０の動作の一例を示すフローチャートであり、図４は、図３の動作時における仮の点灯パターンを示す図である。    
【００４４】
まず、ステップＳ１０１において、入力部１６により、各種情報が入力され、ステップＳ１０２で、仮点灯パターン設定部２４により、仮の点灯パターンが設定される。この時点では、全ての照明１４が点灯している状態である初期の点灯パターンが設定される。
【００４５】
そして、ステップＳ１０３において、照度算出部２６により、ステップＳ１０２で設定された点灯パターンに基づく部屋１２の各領域の照度が算出される。ステップＳ１０４では、抽出部２８により、ステップＳ１０３で算出される照度の中から最も高い照度と、この照度の領域に最も近い照明１４とが抽出される。
【００４６】
そして、ステップＳ１０５において、ステップＳ１０４で抽出された照明１４が、点灯している最後の照明１４であるか否かが判断される。最後の照明１４である場合、ステップＳ１０６に進む。一方、ステップＳ１０５において、最後の照明１４ではなく、まだ他に点灯している照明１４があると判断された場合、ステップＳ１０７に進む。ステップＳ１０７では、状態変更反映部３０により、ステップＳ１０４で抽出された照明１４の状態を消灯へ変更し、この変更した状態を、ステップＳ１０２で設定される点灯パターンに反映させる。
【００４７】
ステップＳ１０６では、表示部２０により、点灯パターン選択部１８で適宜選択された点灯パターンが表示され、動作が終了する。
【００４８】
このような動作により、点灯パターン設定装置１０には、図４に示されるような点灯パターン（１）〜（ｎ−１）がそれぞれ設定される。そして、図に示される点灯パターン（１），（２），（３），（４），（ｎ−１）における最低照度は、照度算出部２６により、例えば８５０lux，７５０lux，７００lux，６８０lux，０luxとそれぞれ算出され、これらの最低照度に対応する領域とこの領域に最も近い照明１４も把握が可能となる。これらの情報を、表示部２０により点灯パターンとともに表示することで、照明１４の間引き作業の前に、間引きによる影響を事前に把握することができる。
【００４９】
本実施形態の点灯パターン設定装置１０によれば、調光機能を使用しなくても、複数の照明が配置された部屋において、少なくとも、その部屋の目標とすべき照度に対応する最適な照明の点灯パターンを容易に設定することができる。
【００５０】
本実施形態においては、仮点灯パターン設定部２４で設定される初期の点灯パターンが、全ての照明１４が点灯している状態である場合について説明したが、本発明はこの構成に限定されない。初期の点灯パターンを、任意の照明１４が点灯している状態とすることもできる。
【００５１】
以下に、初期の点灯パターンが、任意の１つの照明１４のみが点灯している状態である場合における点灯パターン設定装置１０の各機能について説明する。なお、上記実施形態において既に説明した構成及び機能については、その詳細な説明は省略する。
【００５２】
仮点灯パターン設定部２４は、上述のように、任意の１つの照明１４のみが点灯している状態が初期の点灯パターンとして設定されている。また、仮点灯パターン設定部２４は、状態変更反映部３０からの反映により、仮の点灯パターンが、全ての照明１４が点灯している状態になるまで、設定作業を行う。照度算出部２６は、仮点灯パターン設定部２４における仮の点灯パターンが、全ての照明１４が点灯している状態になるまで、算出作業を行う。
【００５３】
この実施形態において抽出部２８で予め設定された条件は、最も低い照度である。よって、抽出部２８は、算出された各照度の中から最も低い照度を抽出する。さらに、抽出部２８は、抽出された照度の領域に最も近くに位置する照明１４を１つ抽出する。また、抽出部２８は、仮点灯パターン設定部における仮の点灯パターンが、全ての照明１４が点灯している状態になるまで、抽出作業を行う。
【００５４】
この実施形態の状態変更反映部３０は、抽出部２８により抽出された照明１４の状態を消灯から点灯へと変更し、この点灯状態を仮点灯パターン設定部２４に反映させる。このように、最も低い照度の領域に最も影響を与える照明１４を点灯させることで、室内のムラが大きくなることを抑制した点灯パターンを設定することができる。
【００５５】
また、状態変更反映部３０は、仮点灯パターン設定部における仮の点灯パターンが、全ての照明１４が点灯している状態になるまで、変更する状態を反映する。つまり、上述した点灯パターン選択部１８内における一連の演算は、照明１４の数がｎ個である場合、ｎ−１回繰り返される。
【００５６】
この実施形態の表示部２０は、最後の点灯パターンである全ての照明１４が点灯している状態から、入力部１６から入力された目標照度を満たす点灯パターンまでを、状態変更反映部３０により反映された順番とは逆に並べて表示する。これにより点灯パターンが照度の降順に並べられることにより、上記実施形態と同様、省エネルギ及び節電対策を行う実施者は、室内の照度にムラが生じにくい、照明１４の間引き手順を容易に把握することができる。
【００５７】
次に、この実施形態に係る点灯パターン設定装置１０の動作について、図５，６を用いて説明する。図５は、本実施形態に係る点灯パターン設定装置１０の動作の一例を示すフローチャートであり、図６は、図３の動作時における仮の点灯パターンを示す図である。  
【００５８】
まず、ステップＳ２０１において、入力部１６により、各種情報が入力され、ステップＳ２０２で、仮点灯パターン設定部２４により、仮の点灯パターンが設定される。この時点では、任意の１つ照明１４のみが点灯している状態である初期の点灯パターンが設定される。
【００５９】
そして、ステップＳ２０３において、照度算出部２６により、ステップＳ２０２で設定された点灯パターンに基づく部屋１２の各領域の照度が算出される。ステップＳ２０４では、抽出部２８により、ステップＳ２０３で算出される照度の中から最も低い照度と、この照度の領域に最も近い照明１４とが抽出される。
【００６０】
そして、ステップＳ２０５において、ステップＳ２０４で抽出された照明１４が、既に点灯している照明１４であるか否かが判断される。既に点灯している照明１４である場合、ステップＳ２０６に進む。一方、ステップＳ２０５において、既に点灯している照明１４ではないと判断された場合、ステップＳ２０７に進む。ステップＳ２０７では、状態変更反映部３０により、ステップＳ２０４で抽出された照明１４の状態を点灯へ変更し、この変更した状態を、ステップＳ２０２で設定される点灯パターンに反映させる。
【００６１】
ステップＳ２０６では、表示部２０により、点灯パターン選択部１８で適宜選択された点灯パターンが表示され、この動作が終了する。
【００６２】
このような動作により、点灯パターン設定装置１０には、図６に示されるような点灯パターン（１）〜（ｎ−１）がそれぞれ設定される。そして、図に示される点灯パターン（１），（２），（３），（４），（ｎ−１）における最低照度は、照度算出部２６により、例えば１０lux，１５lux，３０lux，５０lux，８５０luxとそれぞれ算出され、これらの最低照度に対応する領域とこの領域に最も近い照明１４も把握が可能となる。これらの情報を、表示部２０により点灯パターンとともに表示することで、照明１４の間引き作業の前に、間引きによる影響を事前に把握することができる。
【００６３】
この実施形態の点灯パターン設定装置１０においても、複数の照明が配置された部屋において、少なくとも、その部屋の目標とすべき照度に対応する最適な照明の点灯パターンを容易に設定することができる。
【００６４】
この実施形態においては、初期の点灯パターンが、任意の１つの照明１４のみが点灯している状態である場合における点灯パターン設定装置１０の動作について説明したが、本発明はこれに限定されない。点灯パターン設定装置１０は、この動作に加え、さらに、初期の点灯パターンが、他の任意の１つの照明１４が点灯している状態を設定し、一連の演算を行うことができる。また、点灯パターン設定装置１０は、部屋１２に配置される照明１４全てが、初期の点灯パターンで点灯状態となる１個の照明１４に該当するまで、演算を繰り返すこともできる。このように初期の点灯パターンを変更することにより、照明１４の間引きに最適な点灯パターンを設定することができる。
【００６５】
上記２つの実施形態においては、表示部２０は、全ての照明１４が点灯している状態から、目標照度を満たす点灯パターンまでを順番に並べて表示する場合について説明したが、本発明はこの構成に限定されない。表示部２０は、全ての照明１４が点灯している状態から、目標消費電力を満たす点灯パターンまでを順番に並べて表示することもできる。これにより、照度とともに消費電力を考慮した最適な点灯パターンを把握することができる。
【００６６】
上記２つの実施形態においては、点灯パターン設定装置が、目標照度又は目標消費電力を満たす照明の点灯パターンを設定する場合について説明したが、本発明はこの構成に限定されない。点灯パターン設定装置によって設定された点灯パターンに基づいて実際に照明の動作を制御してもよい。具体的には、点灯パターン設定部は、さらに、照明の点灯及び消灯の動作を制御する制御部を有し、この制御部が、外部（入力部）からの目標照度又は目標消費電力に関する情報に基づき設定された最適な点灯パターンになるように、実際の照明を制御してもよい。なお、点灯パターン設定部に制御部が設けられる場合について説明したが、本発明はこの構成に限定されず、照明の動作が制御可能であれば、制御部は別体の外部の制御装置であってもよい。この場合、点灯パターン設定部は、設定された点灯パターンに関する情報を制御装置に出力し、その制御装置が、実際の照明がその点灯パターンになるように制御する。
【符号の説明】
【００６７】
１０  点灯パターン設定装置、１２  部屋、１４  照明、１６  入力部、１８  点灯パターン選択部、２０  表示部、２２  記憶部、２４  仮点灯パターン設定部、２６  照度算出部、２８  抽出部、３０  状態変更反映部。
【図１】
0005763574.tif 000002
【図２】
0005763574.tif 000003
【図３】
0005763574.tif 000004
【図４】
0005763574.tif 000005
【図５】
0005763574.tif 000006
【図６】
0005763574.tif 000007